(57)【要約】 【課題】表示品質を向上させることができる反射シート、これを有するバックライトアセンブリ及び表示装置を提供する。【解決手段】反射シートは、反射層及び放熱層からなる。反射層は光源から提供された光を反射し、放熱層は反射層の一面に具備され、光源から発生した熱を放熱させ、光源と収納容器と間を絶縁させ電流漏洩を防止する。従って、反射シートによって光源から提供された熱を均一に分散させた後放熱させ、光源と収納容器と間を絶縁させることによって放熱効率を向上させると同時に寄生キャパシタンスの発生を防止することができ、輝度を向上させることができる。これにより、表示装置の表示品質が向上される。【選択図】    図４
2006146118.tif 000002
【特許請求の範囲】
【請求項１】
光源から提供された光を反射する反射層と、
前記反射層の一面に具備され、前記光源から発生した熱を放熱させ、前記光源の電流漏洩を防止するための放熱層と、
を含むことを特徴とする反射シート。
【請求項２】
前記放熱層は、実質的に２００[Ｗ/ｍＫ]以上の熱導電率を有し、実質的に１０１４[ｏｈｍ・ｃｍ]以上の電気絶縁性を有する物質からなることを特徴とする請求項１記載の反射シート。
【請求項３】
前記放熱層は、ボロンナイトライド、シリコンカーバイド及びマグネシウムオキサイドのうちのいずれか一つの物質からなることを特徴とする請求項１記載の反射シート。
【請求項４】
前記放熱層は、ボロンナイトライド、シリコンカーバイド及びマグネシウムオキサイドのうちいずれ
か一つの物質に対して約３０％以下の比率に黒鉛が混合された混合物からなることを特徴とする請求項１記載の反射シート。
【請求項５】
前記放熱層と反射層との間に介在され、前記放熱層と前記反射層とを結合する接着層をさらに含むことを特徴とする請求項１記載の反射シート。
【請求項６】
前記接着層は、内部にランダムに分布され前記光を拡散させる複数のエアーバブルが形成された接着剤からなることを特徴とする請求項５記載の反射シート。  
【請求項７】
前記反射層は、ポリエチレン・テレフタレートＰＥＴ材質からなることを特徴とする請求項１記載の反射シート。
【請求項８】
前記放熱層は、前記反射層の下部面に具備されることを特徴とする請求項１記載の反射シート。
【請求項９】
前記反射層は、第１形成厚さを有し、前記放熱層は前記第１形成厚さより厚い第２形成厚さを有することを特徴とする請求項１記載の反射シート。
【請求項１０】
前記第１形成厚さは、実質的に０．２５ｍｍであり、前記第２形成厚さは実質的に０．７５ｍｍであることを特徴とする請求項９記載の反射シート。
【請求項１１】
光を発生する光源と、
前記光源の下部に具備され、前記光源を収納する収納容器と、
前記光源と前記収納容器との間に具備され、前記光源から発生した熱を放熱させ、前記光源と前記収納容器との間を絶縁させる反射部材と、を含むバックライトアセンブリ。
【請求項１２】
前記反射部材は、
前記光を反射する反射層と、
前記反射層の一面に具備され、前記熱を拡散させて放熱させ、前記光源の電流漏洩を防止するための放熱層と、
を含むことを特徴とする請求項１１記載のバックライトアセンブリ。
【請求項１３】
前記放熱層は、ボロンナイトライド、シリコンカーバイド及びマグネシウムオキサイドのうちいずれか一つの物質からなることを特徴とする請求項１２記載のバックライトアセンブリ。
【請求項１４】
前記放熱層は、ボロンナイトライド、シリコンカーバイド及びマグネシウムオキサイドのうちいずれか一つの物質に対して約３０％以下の比率で黒鉛が混合された混合物からなることを特徴とする請求項１２記載のバックライトアセンブリ。
【請求項１５】
前記反射部材は、前記放熱層と前記反射層との間に介在され、前記放熱層と前記反射層とを結合する接着層をさらに含むことを特徴とする請求項１２記載のバックライトアセンブリ。
【請求項１６】
前記接着層は、内部にランダムに分布され光を拡散させる複数のエアーバブルが形成された接着剤からなることを特徴とする請求項１５記載のバックライトアセンブリ。
【請求項１７】
前記収納容器は、金属材質から形成されたボトムシャーシであることを特徴とする請求項１１記載のバックライトアセンブリ。  
【請求項１８】
画像を表示するユニットと、
前記画像を表示するための光を発生する光源と、前記光源を収納する収納容器と、前記光源から発生された熱を放熱させ、前記光源と前記収納容器と間を絶縁させる反射部材とを含むバックライトアセンブリと、
を含む表示装置。
【請求項１９】
前記反射部材は、
前記光を反射する反射層と、
前記反射層の一面に具備され、前記熱を拡散させて放熱させ、前記光源の電流漏洩を防止するための放熱層と、
を含むことを特徴とする請求項１８記載の表示装置。
【請求項２０】
前記反射部材は、前記放熱層と反射層との間に介在され、前記放熱層と前記反射層とを結合する接着層をさらに含むことを特徴とする請求項１９記載の表示装置。
【発明の詳細な説明】
【技術分野】
【０００１】
本発明は反射シート、これを有するバックライトアセンブリ及び表示装置に関し、より詳細には、表示品質を向上させることができる反射シート、これを有するバックライトアセンブリ及び表示装置に関する。
【背景技術】
【０００２】
最近、画像を表示する表示装置は、その用途と種類によって急速に発展しつつあり、多様な種類の表示装置のうち性能面や機能面で優れた液晶表示装置が幅広く使用されている。
【０００３】
このような液晶表示装置は、画像を表示する液晶表示パネルバックライトアセンブリから光の提供を受け画像を表示する。ここで、前記バックライトアセンブリは光源の位置によって直下型とエッジ型とで区分される。
【０００４】
前記エッジ型バックライトアセンブリは、導光板の側面にランプユニットが配置される構造で、主にラップトップ型及びデスクトップ型コンピュータのように比較的に小さい液晶表示装置に適用される。このような、前記エッジ型バックライトアセンブリは、光の均一性がよく、寿命が長いという液晶表示装置の薄型化に有利な長所がある。
【０００５】
一方、直下型バックライトアセンブリは、液晶表示パネルの下部に複数のランプが並列に配置される。このような直下型バックライトアセンブリは複数のランプから発生された光が前記液晶表示パネルに直接的に供給されるので、高輝度を要求する対話面液晶表示装置に主に使用される。
【０００６】
しかし、前記直下型バックライトアセンブリが適用された大型液晶表示装置の場合、前記液晶表示パネルの下部に配列された複数のランプから多くの熱が発生し収納容器の内部温度が上昇し、これにより、液晶表示パネルの液晶が劣化したり、ランプの発光効率が低下するなどの液晶表示装置の表示品質が低下するという問題点を有する。
【０００７】
即ち、図１はランプ周囲の大気温度に対する相対輝度を示すグラフで、ランプ周囲の大気温度が約４５℃内外より高いとランプ内部の水銀蒸気圧が影響を受け相対輝度が下落する。
【０００８】
このような、液晶表示装置の内部の温度上昇及び温度差を克服するために複数のランプから発生された熱を迅速に外部に放出しなければならない。このとき、ランプから発生された熱は反射シートに伝導され、前記反射シートに伝導された熱は金属材質の収納容器に伝導され外部に放出される。
【０００９】
しかし、前記反射シートは合成樹脂からなるため熱伝導度が低く、これにより、ランプから伝導された熱が迅速に収納容器に伝導されなく熱が外部にまともに放出されないという問題点がある。
【００１０】
また、前記ランプを収納するための収納容器は、一般に金属材質から形成される。従って、収納容器とランプと間に電気的現象によって寄生キャパシタンスが発生し、前記寄生キャパシタンスによって漏洩電流が発生することによってランプ輝度が低下するという問題点もある。
【発明の開示】
【発明が解決しようとする課題】
【００１１】
従って、本発明は前記した問題点を解決するためのもので、本発明の目的は熱を効率的に放出させると同時に電気絶縁性を向上させるための反射シートを提供することにある。
【００１２】
本発明の他の目的は、前記した反射シートを有するバックライトアセンブリを提供することにある。
【００１３】
本発明の他の目的は、前記したバックライトアセンブリを有する表示装置を提供することにある。  
【課題を解決するための手段】
【００１４】
前述した目的を達成するための本発明による反射シートは、反射層及び放熱層からなる。前記反射層は光源から提供された光を反射し、前記放熱層は前記反射層の一面に具備され前記光源から発生した熱を放熱させ、前記光源の電流漏洩を防止する。
【００１５】
このとき、前記放熱層は、ボロンナイトライド、シリコンカーバイド及びマグネシウムオキサイドのうち、いずれか一つの物質からなる。また、前記放熱層はボロンナイトライド、シリコンカーバイド及びマグネシウムオキサイドのうちいずれか一つの物質について約３０％以下の比率で黒鉛が混合された混合物からなる。
【００１６】
本発明の他の目的を達成するためのバックライトアセンブリは、光を発生する光源、前記光源の下部に具備され、前記光源を収納する収納容器、及び前記光源と前記収納容器との間に具備され、前記光源から発生した熱を放熱させ、前記光源と前記収納容器と間を絶縁させる反射部材を含む。
【発明を実施するための最良の形態】
【００１７】
本発明の他の目的を達成するための表示装置は、画像を表示する表示ユニットと、前記画像を表示するための光を発生する光源、前記光源を収納する収納容器、及び前記光源から発生した熱を放熱させ、前記光源と前記収納容器と間を絶縁させる反射部材を有するバックライトアセンブリと、を含む。
【００１８】
このような反射シート、これを有するバックライトアセンブリ及び表示装置によると、反射シートによって光源から提供された熱を均一に分散させた後放熱させ、光源と収納容器と間を絶縁させることによって放熱効率を向上させると同時に寄生キャパシタンスの発生を防止することができ、輝度を向上させることができる。
【００１９】
以下、図面を参照して本発明の望ましい一実施形態をより詳細に説明する。
【００２０】
図２は本発明によるバックライトアセンブリを示す分解斜視図であり、図３は図２のＩ−Ｉ’線による断面図である。
【００２１】
図２及び図３に示されたように、本発明によるバックライトアセンブリ１００はランプユニット２００、拡散板３００、第１収納容器４００及び第２収納容器５００を含む。また、バックライトアセンブリ１００は光学シート６００及び反射シート７００をさらに含む。
【００２２】
ここで、ランプユニット２００は並列に配置された複数のランプ２１２、ランプ２１２の両端部にそれぞれ形成された第１外部電極２１４及び第２外部電極２１６を含む。このとき、ランプ２１２は第１及び第２外部電極２１４、２１６を有する外部電極ランプＥＥＦＬである。
【００２３】
この実施形態においては、ランプユニット２００が第１及び第２外部電極２１４、２１６を有する外部電極ランプからなる場合を例にしたが、冷陰極線管蛍光ランプＣＣＦＬから構成されることができる。また、前記光を発生する光源としてチューブ形状を有するランプを具備するが、発光ダイオードなどのような多様な形状の光源で具備することができる。
【００２４】
前記ランプ２１２の内部に放電ガス(図示せず)が注入され、第１及び第２外部電極２１４、２１６は導電性物質からなり、ランプ２１２の外側を取り囲むように形成される。このようなランプ２１２は外部から第１及び第２外部電極２１４、２１６を通じて提供された第１及び第２駆動電圧に応答して光を発生する。
【００２５】
また、ランプユニット２００はランプ２１２の一端部を固定するための第１ランプホルダー２２０、及びランプ２１２の他端部を固定するための第２ランプホルダー２３０をさらに含む。
【００２６】
前記第１ランプホルダー２２０は、ランプ２１２の一端部を固定するために、第１固定板２２２、及び第１固定板２２２から延長して突出された第１クリップ部２２４で構成される。前記第１クリップ部２２４はランプ２１２の第１外部電極２１４の位置に対応して第１外部電極２１４が介在できるように形成され、ランプ２１２の一端部を固定する。また、第１ランプホルダー２２０の第１固定板２２２は第１クリップ部２２４を互いに連結し、外部から提供される前記第１駆動電圧をランプ２１２の第１外部電極２１４に印加する役割を遂行する。  
【００２７】
一方、第２ランプホルダー２３０はランプ２１２の他端部を固定するために、第２固定板２３２、及び第２固定板２３２から延長され突出された第２クリップ部２３４で構成される。前記第２クリップ部２３４は複数のランプ２１２の第２外部電極２１６の位置に対応して第２外部電極２１６が介在できるように形成され、ランプ２１２の他端部を固定する。また、第２ランプホルダー２３０の第２固定板２３２は第２クリップ部２３４を互いに連結し、外部から提供される前記第２駆動電圧を複数のランプ２１２の第２外部電極２１６に印加する役割を遂行する。
【００２８】
ここで、第１ランプホルダー２２０及び第２ランプホルダー２３０の下部には第２収納容器５００との絶縁のためのモールド材質の絶縁部材が形成される。
【００２９】
前記拡散板３００はランプユニット２００の上部に構成され、複数のランプ２１２から発生された第１光を拡散させ輝度が均一に調節された第２光を出射する。
【００３０】
前記第１収納容器４００は拡散板３００下部に形成され、第１モールドフレーム４１０及び第２モールドフレーム４２０で構成される。
【００３１】
ここで、第１モールドフレーム４１０は、第１ランプホルダー２２０に対応する位置に形成され、第２モールドフレーム４２０は第２ランプホルダー２３０に対応する位置に形成される。
【００３２】
ここで、第１モールドフレーム４１０はランプ２１２の第１外部電極２１４をカバーするための所定角度に傾いて形成され、ランプ２１２位置に対応してランプ２１２が挿入される挿入ホール４１２を有する第１側壁４１４、及び第１側壁４１４の上端に形成され、拡散板３００及び光学シート６００が安置される端縁棚４１６の上端で第２収納容器５００の方向に垂直に延長され形成された第２側壁４１８からなる。
【００３３】
このとき、第１モールドフレーム４１０は、第１側壁４１４、端縁棚４１６及び第２側壁４１８によって内部に所定の収納空間を形成し、前記収納空間に第１ランプホルダー２２０を収納する。
【００３４】
一方、第２モールドフレーム４２０は第１モールドフレーム４１０と同一の構成を有するので、これについての詳細な説明は省略する。即ち、第２モールドフレーム４２０は内部に所定の収納空間を有し、前記収納空間に第２ランプホルダー２３０を収納する。
【００３５】
前記第２収納容器５００は、ランプユニット２００下部で底部５１０、及び底部５１０から延長された第１側部５２０、第２側部５３０、第３側部５４０及び第４側部５５０で構成され収納空間を形成する。前記収納空間にランプユニット２００及び反射シート７００が収納される。このとき、第１モールドフレーム４１０は第１側部５２０に接するように前記収納空間に収納され、第２モールドフレーム４２０は第２側部５３０に接するように前記収納空間に収納される。前記第２収納容器５００は金属材質から形成されるので、以下でボトムシャーシと称する。
【００３６】
一方、ボトムシャーシ５００の堅固性を向上させるために、前記第１側部５２０は底部５１０から延長された第１側面５２２、第１側面５２２から延長され底面５１０と平行な上部面５２４、及び上部面５２４から延長され第１側面と向き合う第２側面５２６で構成される。このとき、第１側部５２０と対向する第２側部５３０にも第１側部５２０と同一の構成を有する。
【００３７】
前記光学シート６００は拡散板３００上部に形成され輝度が均一に調節された前記第２光の光学特性を向上させた後出射する。このとき、光学シート６００は拡散シート及びプリズムシートで構成される。前記拡散シートは拡散板３００上部に積層され、拡散板３００から出射された光を均一に拡散させる。また、前記プリズムシートは前記拡散シートの上部に積層され、前記拡散シートに伝達された光を集光し輝度を上昇させる。
【００３８】
一方、反射シート７００はランプユニット２００下部に配置され、ランプユニット２００のランプ２１２から下部に漏洩された光を反射させ拡散板３００に再度入射させる。また、反射シート７００は多層構造から形成され、ランプ２１２によって発生された熱を拡散させボトムシャーシ５００に伝導する。前記反射シート７００は反射層７１０、放熱層７２０及び接着層７３０で構成される。
【００３９】
図４は図２に示されたように、反射シートを示す断面図である。
【００４０】
図４に示されたように、反射シート７００は、図２のランプ２１２から下部に漏洩された光を反射する反射層７１０、及び反射層７１０の一面に具備されランプ２１２から発生された熱を拡散する放熱層７２０で構成される。
【００４１】
具体的に、反射層７１０は、反射特性を有するポリエチレン・テレフタレートＰＥＴ材質からなり、ランプ２１２から下部に漏洩された光を反射させ拡散板３００（図２参考）に再入射させ前記光の利用効率を向上させる。このとき、反射層７１０は放熱層７２０上にＰＥＴ材質がコーティングされた形態に形成されることができる。
【００４２】
前記放熱層７２０はランプ２１２から熱を拡散させ前記熱を効率的に放出する。また、放熱層７２０はボトムシャーシ５００とランプ２１２と間の電気絶縁性を増加させ漏洩電流による寄生キャパシタンスの発生を防止する。
【００４３】
このとき、放熱層７２０は熱導電性が高く、同時に電気絶縁性の高い物質からなる。即ち、放熱層７２０はボロンナイトライド（Ｂｏｒｏｎ  Ｎｉｔｒｉｄｅ、以下、ＢＮと称する）、シリコンカーバイド（以下、ＳｉＣと称する）及びマグネシウムオキサイド（Ｍａｇｅｎｅｓｉｕｍ  Ｏｘｉｄｅ、以下、ＭｇＯと称する）のうち一つの物質からなる。また、放熱層７２０はＢＮ、ＳｉＣ及びＭｇＯのうち一つの物質について黒鉛が所定比率で混合された混合物からなる。前記黒鉛はＢＮ、ＳｉＣ及びＭｇＯについて約３０％以下の密度を有する。
【００４４】
ここで、前記ＢＮ、ＳｉＣ及びＭｇＯは熱を伝達する熱伝導率が非常に高い。このとき、前記ＢＮは熱伝導率が約４００[Ｗ/ｍＫ]であり、前記ＳｉＣは熱伝導率が約３００[Ｗ/ｍＫ]であり、前記ＭｇＯは熱伝導率が約２００[Ｗ／ｍＫ]である。
【００４５】
また、前記ＢＮ、ＳｉＣ及びＭｇＯは熱伝導率が高くて電気絶縁性が大きい。前記ＢＮ電気絶縁性は約２×１０１４[ｏｈｍ・ｃｍ]であり、前記ＳｉＣの電気絶縁性は約１０５[ｏｈｍ・ｃｍ]であり、前記ＭｇＯの電気絶縁性は約１０９[ｏｈｍ・ｃｍ]である。
【００４６】
従って、前記ＢＮ、ＳｉＣ及びＭｇＯからなる放熱層７２０はランプ２１２の第１及び第２外部電極２１４、２１６側で発生された熱を均一に拡散させボトムシャーシ５００に迅速に伝達させ、ボトムシャーシ５００とランプ２１２と間の電気絶縁性を増加させる。
【００４７】
一方、前記黒鉛は熱伝導率が高いが、電気絶縁性が非常に低い特徴を有する。従って、前記ＢＮ、ＳｉＣ及びＭｇＯのうちいずれか一つの物質について一定比率以下に前記黒鉛が混合された混合物からなった放熱層７２０の場合、前記黒鉛に比べて相対的に高い電気絶縁性を有する。従って、ランプ２１２とボトムシャーシ５００と間の電気絶縁性を向上させることができる。
【００４８】
ここで、反射層７１０は約０．０ｍｍないし０．７ｍｍの形成範囲厚さを有し、放熱層７２０は約０．３ｍｍないし約０．９９ｍｍの形成厚さ範囲を有する。望ましくは、反射層７１０は約０．２５ｍｍの形成厚さを有し、放熱層７２０は約０．７５ｍｍの形成厚さを有する。従って、反射シート７００は約１ｍｍの形成厚さを有するフィルム形状を有する。
【００４９】
また、反射シート７００は反射層７１０と放熱層７２０との間に介在され反射層７１０の下面に放熱層７２０を張り合わせる接着層７３０をさらに含む。従って、接着層７３０によって反射層７１０と放熱層７２０とが一体化される。
【００５０】
前記接着層７３０は接着剤７３２及び接着剤７３２内にランダムに配列された複数のエアーバブル７３４を含む。前記エアーバブル７３４は発泡剤によって形成される。即ち、接着層７３０は接着剤７３２及び前記発泡剤が混合された混合物によって形成される。このとき、エアーバブル７３４はランプ２１２から提供された光を散乱させる。従って、接着層７３０は反射層７１０と放熱層７２０とを一体化させ前記光を乱反射させ光の反射特性を向上させる。
【００５１】
前記した構成を有する反射シート７００はランプユニット２００とボトムシャーシ５００との間に具備され、ランプユニット２００から下部に漏洩された光を反射層７１０で反射させ拡散板３００に提供する。
【００５２】
また、反射シート７００はランプ２１２の第１及び第２外部電極２１４、３１６から発生された熱を内部に均一に拡散させた後、ボトムシャーシ５００に伝導させ放熱効率を向上させる。即ち、ランプ２１２から発生された熱は反射シート７００の反射層７１０に伝導され、反射層７１０に伝導された熱は放熱層７２０に伝導される。前記放熱層７２０は前記熱を拡散させ熱を均一に分布させる。このとき、前記均一に分布された熱はボトムシャーシ５００の底部５１０に伝導され外部に放出される。
【００５３】
前記反射シート７００の放熱層７２０が高い電気絶縁性を有する物質からなることによってランプ２１２とボトムシャーシ５００と間の電気絶縁性が増加されるので、寄生キャパシタンスの発生が防止される。これにより、漏洩電流の発生が防止されランプ２１２の輝度低下が防止される。
【００５４】
また、反射シート７００はエアーバブル７３４を有する接着層７３０が反射層７１０と放熱層７２０との間に構成されるので、エアーバブル７３４によって前記光が乱反射されることによって輝度が向上される。従って、本発明は光学シート６００で光の輝度を向上させるためのプリズムシートの構成を省略することができる。
【００５５】
図５は一般の反射シートを有するバックライトアセンブリの熱分布を概略的に示す図面であり、図６は本発明による反射シートを有するバックライトアセンブリの熱分布を概略的に示す図面である。
【００５６】
図５及び図６に示されたように、本発明による反射シートを有するバックライトアセンブリは、一般的な反射シートを有するバックライトアセンブリに比べて一つの外部電極が位置する右側領域で約４ないし７℃程度の温度が下落することがわかる。
【００５７】
また、本発明による反射シートを有するバックライトアセンブリは他の一つの外部電極が位置する左側領域でも約３ないし４℃程度の温度が下落することがわかる。
【００５８】
このように、本発明によるバックライトアセンブリは、外部電極が位置する領域で温度が下落し、また、相対的に高い温度分布を有する右側領域が左側領域に比べて温度下落が大きいので、温度の均一性が向上される。
【００５９】
図７は本発明による液晶表示装置を示す分解斜視図である。本実施形態において、バックライトアセンブリは図２ないし図４に示されたのと同一の構成を有するので、同一の構成については同一の図面符号を使用し、その重複される詳細な説明は省略する。
【００６０】
図７に示すように、本発明の一実施形態による液晶表示装置は光を供給するためのバックライトアセンブリ１００、バックライトアセンブリ１００から供給される光を用いて画像を表示するための表示ユニット８００及び表示ユニット８００をバックライトアセンブリ１００に固定するためのトップシャーシ９００を含む。
【００６１】
前記バックライトアセンブリ１００は、光を発生するランプユニット２００、ランプユニット２００上部に形成されランプユニット２００から発生された光を拡散させる拡散板３００、及び拡散板３００とランプユニット２００とを収納するボトムシャーシ５００を含む。また、バックライトアセンブリ１００は、拡散板３００上に具備され前記光の光学特性を向上させる光学シート６００、及びランプユニット２００とボトムシャーシ５００との間に形成されランプユニット２００から漏洩された光を反射させ、ランプユニット２００から発生された熱を拡散させる反射シート７００をさらに含む。
【００６２】
ここで、反射シート７００は、反射層７１０、放熱層７２０、及び反射層７１０と放熱層７２０との間に介在され、反射層７１０の一面に放熱層７２０を張り合わせする接着層７３０で構成される。
【００６３】
前記反射層７１０はＰＥＴ物質からなる。また、放熱層７２０は熱伝導率が高くて電気絶縁性の高い物質からなる。即ち、放熱層７２０はＢＮ、ＳｉＣ及びＭｇＯのうち、いずれか一つの物質からなる。また、放熱層７２０はＢＮ、ＳｉＣ及びＭｇＯのうち一つの物質に黒鉛が一定比率以下に混合された混合物からなる。前記接着層７３０はランダムに配列されたエアーバブル７３４を有する接着剤７３２からなる。
【００６４】
従って、反射シート７００はランプユニット２００から漏洩された光を反射層７１０で反射させ拡散板３００に提供する。このとき、反射シート７００は接着層７３０内のエアーバブル７３４によって前記光を乱反射させることによって反射率を向上させる。
【００６５】
また、反射シート７００はランプ２１２の第１及び第２外部電極２１４、２１６から発生された熱を放熱層７２０で拡散させ均一に分散させた後、ボトムシャーシ５００側に伝導する。従って、ランプ２１２の第１及び第２外部電極２１４、２１６から発生された熱をより効果的に放熱させる。
【００６６】
一方、表示ユニット８００は画像を表示する液晶表示パネル８１０、液晶表示パネル８１０を駆動するための駆動信号を提供するソース印刷回路基板８２０、及びゲート印刷回路基板８３０を含む。
【００６７】
前記液晶表示パネル８１０は、薄膜トランジスタ（以下、ＴＦＴ）基板８１２、ＴＦＴ基板８１２と対向し結合されるカラーフィルター基板８１４、及び前記２つの基板８１２、８１４の間に介在される液晶(図示せず)を含む。
【００６８】
前記ＴＦＴ基板８１２はスイッチング素子であるＴＦＴ(図示せず)がマトリックス状に形成されている透明なガラス基板である。前記ＴＦＴのソース端子にはデータラインが連結され、ゲート端子にはゲートラインが連結される。また、ドレイン端子には透明な導電性材質からなる画素電極が連結される。
【００６９】
前記カラーフィルター基板８１４は、ＴＦＴ基板８１２に一定間隔離隔され対向配置される。カラーフィルター基板８１４は光が通過する所定の色に発現される色画素であるＲ、Ｇ、Ｂ画素が薄膜工程によって形成された基板である。カラーフィルター基板８１４の全面には透明な導電性材質からなる共通電極が形成される。
【００７０】
このような構成を有する液晶表示パネル８１０は前記ＴＦＴのゲート端子に電源が印加されＴＦＴがターンオンされると、画素電極と共通電極との間には電界が形成される。このような電界によってＴＦＴ基板８１２とカラーフィルター基板８１４との間に介在された液晶の配列が変化し、液晶の配列変化によってバックライトアセンブリ１００から供給される光の透過度が変更され所望する画像を得るようになる。
【００７１】
前記ソース印刷回路基板８２０及びゲート印刷回路基板８３０から提供される駆動信号はデータ可撓性回路フィルム８２５及びゲート可撓性回路フィルム８３５を通じて液晶表示パネル８１０に印加される。データ及びゲート可撓性回路フィルム８２５、８３５は、一例で、テープキャリアパッケージ（ＴＣＰ）またはチップオンフィルム（ＣＯＦ）からなる。ここで、データ及びゲート可撓性回路フィルム８２５、８３５それぞれは、ソース印刷回路基板８２０及びゲート印刷回路基板８３０から提供される駆動信号を適切なタイミングに液晶表示パネル８１０に印加するために駆動信号のタイミングを制御するデータ駆動チップ８４０及びゲート駆動チップ８５０をさらに含む。
【００７２】
一方、表示ユニット８００はバックライトアセンブリ１００の上部から実装される。このとき、液晶表示パネル８１０はアッパーモールドフレーム９５０に収納されバックライトアセンブリ１００の上部に配置される。また、ソース印刷回路基板８２０はデータ可撓性回路フィルム８２５の撓みによってボトムシャーシ５００の背面に固定される。
【００７３】
前記トップシャーシ９００はバックライトアセンブリ１００に収納された液晶表示パネル８１０の端部位を取り囲み、ボトムシャーシ５００と結合される。前記トップシャーシ９００は外部衝撃による液晶表示パネル８１０の破損を防止し、液晶表示パネル８１０がボトムシャーシ５００から離脱されることを防止する。
【００７４】
以上、本発明によると、バックライトアセンブリの熱伝導率が高くて電気絶縁性の高い物質からなる反射シートを含む。このとき、反射シートは反射層、ＢＮ、ＳｉＣ及びＭｇＯのうち一つの物質からなる放熱層及び接着層を含む。
【００７５】
従って、本発明はランプから発生された熱を均一に拡散させランプの第１電極側と、第１電極より相対的に高い電圧が印加される第２電極側と間の温度差を減少させることができる。その結果、液晶表示装置は輝度分布を均一に保持することができる。
【００７６】
また、反射シートは熱を迅速に拡散させるので、ランプから発生された熱をボトムシャーシに迅速に伝導する。これにより、反射シートはバックライトアセンブリの内部温度が上昇することを抑制することができ、これにより複数のランプの輝度が減少することを防止することができ、さらに、液晶表示装置の表示品質を向上させることができる。
【００７７】
また、本発明は電気絶縁性の高い反射シートによってランプとボトムシャーシとの間を絶縁させることによって寄生キャパシタンスの発生を防止し、漏洩電流の発生を防止することができる。これにより、漏洩電流によるバックライトアセンブリの輝度低下を防止することもできる。
【００７８】
以上、本発明の実施形態によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００７９】
【図１】ランプ周囲の大気温度に対する相対輝度の変化を示すグラフである。
【図２】本発明によるバックライトアセンブリを示す分解斜視図である。
【図３】図２のＩ−Ｉ’線による断面図である。
【図４】図２に示された反射シートを示す断面図である。
【図５】一般の反射シートを有するバックライトアセンブリの熱分布を概略的に示す図面である。
【図６】本発明による反射シートを有するバックライトアセンブリの熱分布を概略的に示す図面である。
【図７】本発明による液晶表示装置を示す分解斜視図である。
【符号の説明】
【００８０】
１００      バックライトアセンブリ
２００      ランプユニット
３００      拡散板
４００      モールドフレーム
５００      ボトムシャーシ
６００      光学シート
７００      反射シート
７１０      反射層
７２０      放熱層
７３０      接着層
８００      表示ユニット
【図１】
2006146118.tif 000003
【図２】
2006146118.tif 000004
【図３】
2006146118.tif 000005
【図４】
2006146118.tif 000006
【図５】
2006146118.tif 000007
【図６】
2006146118.tif 000008
【図７】
2006146118.tif 000009